(57)【要約】【課題】  複写機等におけるジャム処理を行う際の操作性を高める。【解決手段】  用紙通過経路に沿って配置されたジャムを検出する複数のジャム検出センサーと、一連のジャム処理手順を画像として保持するジャム処理画像記憶手段とを備えた画像形成装置において、前記ジャム検出センサーがジャムを検出したときに前記一連のジャム処理手順の全てを表示する画像表示手段と、ユーザがジャム処理を行うために操作した部位を検出する操作部位検出センサーと、前記操作部位の情報に基づいて特定のジャム処理を実行したか否かを判定する操作判定手段とを備え、前記操作判定手段の判定結果に基づいてジャム処理の進行状況を前記画像表示手段に表示する。【選択図】  図４
2005157144.tif 000002
【特許請求の範囲】
【請求項１】
用紙通過経路に沿って配置されたジャムを検出する複数のジャム検出センサーと、一連のジャム処理手順を画像として保持するジャム処理画像記憶手段とを備えた画像形成装置において、
前記ジャム検出センサーがジャムを検出したときに前記一連のジャム処理手順の全てを表示する画像表示手段と、
ユーザがジャム処理を行うために操作した部位を検出する操作部位検出センサーと、
前記操作部位の情報に基づいて特定のジャム処理を実行したか否かを判定する操作判定手段とを備え、
前記操作判定手段の判定結果に基づいてジャム処理の進行状況を前記画像表示手段に表示することを特徴とする画像形成装置。
【請求項２】
前記一連のジャム処理手順から特定のジャム処理の画像を指示する画像指示手段を備え、
前記ジャム処理画像記憶手段は前記特定のジャム処理の画像各々に対応する拡大画像を保持し、
前記画像表示手段は前記特定のジャム処理の画像を前記画像指示手段で指示したときに前記拡大画像を表示する請求項１記載の画像形成装置。
【発明の詳細な説明】
【技術分野】
【０００１】
本発明は、複写機等の画像形成装置に関し、特にジャム処理を行う際の技術に関する。
【背景技術】
【０００２】
従来、複写機等の画像形成装置において、紙詰まり等のジャム処理の必要が発生したとき、その処理の手順をディスプレイ上に動画で説明するものがあった（特許文献１、特許文献２参照。）。
【０００３】
また、処理の手順をディスプレイ上に静止画で表し、キー操作を順次押すことで画面を順次表示し、全ての手順を確認しながら行うというものがあった（特許文献３参照。）。
【０００４】
また、複写機筐体の内側面にジャム処理方法を表示するデカルを貼り、デカルの裏側から光を照射することで操作方法を知らせるというものがあった（特許文献４参照。）。
【特許文献１】特開２０００―１５５５０８号公報
【特許文献２】特開２０００―８５２２０号公報
【特許文献３】特開平１０―１０７９４０号公報
【特許文献４】特開２００１―２４７２３５号公報
【発明の開示】
【発明が解決しようとする課題】
【０００５】
しかし、前述した動画で説明する従来の技術では、ジャム処理が発生したとき、ディスプレイに順次ジャム処理の手順が表示されていくが、処理を行う中で自分の処理が正しかったのか、また手順の中のどの部分まで処理が終了しているのかがわかりにくいという問題点があった。さらには、動画で手順を説明する場合、各手順の中で注意してほしい項目がある場合に、どの作業の時にどのような注意をしてほしいという詳細な説明がし辛かった。
【０００６】
また、静止画で順次説明していく従来技術では、操作の手順全てを順次キーを押して確認する必要があり、大変手間のかかるものであった。
【０００７】
また、デカルを貼り、当該デカルに光を照射して操作方法を知らせる従来技術では、照明装置とデカルのコストがかかるという問題点があった。
【０００８】
そこで本発明は、前述した問題点に鑑み、ディスプレイに一連の処理手順の全てを処理の進行状況と共に表示し、どこまで処理が終了したのか、また行った処理が正しかったのかどうかを把握し易くすることを目的とする。
【課題を解決するための手段】
【０００９】
本発明は、用紙通過経路に沿って配置されたジャムを検出する複数のジャム検出センサーと、一連のジャム処理手順を保持するジャム処理画像記憶手段とを備えた画像形成装置を前提としている。
【００１０】
本発明の画像形成装置は、前記ジャム検出センサーがジャムを検出したときに前記一連のジャム処理手順の全てを表示する画像表示手段と、ユーザがジャム処理を行うために操作した部位を検出する操作部位検出センサーと、前記操作部位の情報に基づいて特定のジャム処理を実行したか否かを判定する操作判定手段とを備え、前記操作判定手段の判定結果に基づいてジャム処理の進行状況を前記画像表示手段に表示する構成としている。
【００１１】
このようにすれば、一連の処理手順の全てを処理の進行状況と共に表示することができる。したがって、どこまで処理が終了したのか、また行った処理が正しかったのかどうかが把握し易くなる。
【００１２】
上記構成に加えて、前記一連のジャム処理手順から特定のジャム処理の画像を指示する画像指示手段を備え、前記ジャム処理画像記憶手段は前記特定のジャム処理の画像各々に対応する拡大画像を保持し、前記画像表示手段は前記特定のジャム処理の画像を前記画像指示手段で指示したときに前記拡大画像を表示する構成としてもよい。
【００１３】
このようにすれば、特定のジャム処理を拡大表示できるので、当該ジャム処理において注意してほしい内容の詳細な説明がしやすい。
【発明の効果】
【００１４】
本発明により、一連のジャム処理手順の全てを処理の進行状況と共に表示するので、どこまで処理が終了したのか、また行った処理が正しかったのかどうかを把握し易くなる。さらには、一連のジャム処理手順の中で選択した特定のジャム処理の画像を拡大表示できるので、当該特定のジャム処理において注意してほしい内容の詳細な説明がし易くなる。
【発明を実施するための最良の形態】
【００１５】
以下、本発明を画像形成装置としての複写機に適用した場合を例にとって説明する。
【００１６】
図１は本発明の実施の形態における複写機の全体構成を示す機能ブロック図である。また、図２は、この複写機の動作を示すフロー図である。
【００１７】
当該複写機の用紙搬送経路に複数配置されたジャム検出センサー１が設けられる。このジャム検出センサー１を構成する各ジャムセンサーの出力は、ジャム処理画像記憶手段２に入力される。このジャム処理画像記憶手段には図３に示すように、上記各ジャムセンサーに対応して当該ジャムセンサーの位置でジャムが発生したときの一連のジャム処理手順を描いた静止画情報が格納されている。さらに、図４に示すように一連のジャム処理手順の特定のジャム処理の静止画像各々に対応した拡大画像情報が格納されている。
【００１８】
上記ジャム処理画像記憶手段より出力されたジャム処理の一連の手順を示す画像情報は、ドットデータに変換され一旦画像メモリ３に展開され画像表示手段４に表示されることになる。
【００１９】
上記の構成によって、ジャムが発生したときの当該複写機の動作を図２に基づいて説明する。
【００２０】
用紙搬送経路において紙詰まりなどのジャムが発生した場合、ジャム検出センサー１がジャムを検出し、ジャム処理画像記憶手段２から一連のジャム処理画像が読み出され、画像メモリ３で展開されて図５Ａに示すように画像表示手段４に表示される。（Ｓ１→Ｓ３）一方、ジャムを検出しなかった場合、その他の処理へ移行する。（Ｓ１→Ｓ２）
ユーザは画像表示手段４に示された手順に従ってジャムを修復することができるが、処理を行う中でどこまでの処理が終了しているのか、また行った処理は正しかったのかどうかがわからなくなることがある。
【００２１】
そこで、この発明では、操作部位検出センサー５を設けている。すなわち、ジャム処理時にユーザが操作しようとする部位を動かすと、当該位置に設けられたセンサーがその動きを検出して操作判定手段６に入力するようになっている。当然上記操作部位はユーザが操作する可能性のある複数の部位であり、従って、上記操作部位検出センサー５は当該複数の部位にそれぞれ設けられた複数のセンサーより構成されることになる。
【００２２】
上記操作判定手段６には、図６に示すように、画像表示手段４に表示されている一連のジャム処理の特定のジャム処理の静止画像各々に対応した、当該特定のジャム処理が実行されたことを表す検出するべき操作部位検出センサー５の位置情報からなる判定条件が格納されている。
【００２３】
上記構成によって上記操作判定手段６は、ユーザがジャム処理を行う際に上記操作部位検出センサー５が検出した操作部位の位置と判定条件とを照合し、特定のジャム処理が実行されているのか否かを判定し、判定結果を上記画像メモリ３に出力する。（Ｓ３→Ｓ４）
上記判定結果が実行したことを表し、一連のジャム処理が終了していないとき、画像メモリ３上で処理が実行された特定のジャム処理静止画像に識別可能に処理を施すこととなる。例えば、図５Ｂに示すように終了した処理の静止画像に色を付与したり、識別画像例えば対応する静止画に丸枠あるいは四角の枠を付与したりしてよい。（Ｓ４→Ｓ５→Ｓ７）一連のジャム処理が終了したときは、ジャム処理手順の画像を消去する。（Ｓ４→Ｓ５→Ｓ６）
このようにすれば、一連の処理手順の全てを処理の進行状況と共に表示することができる。したがって、どこまで処理が終了したのか、また行った処理が正しかったのかどうかが把握し易くなる。
【００２４】
一方、上記判定結果が実行されていないことを表すとき、判定処理Ｓ８へ移行する。（Ｓ４→Ｓ８）
また、ユーザがジャム処理を行う上で、特定の処理の詳細をよく確認してジャム処理を行いたい場合がある。
【００２５】
そこで、この発明では、画像指示手段７を設けている。すなわち、一連のジャム処理画像が表示されているときに、そのうちで処理の詳細が知りたい場合、当該詳細を知りたい特定のジャム処理の画像を指示する手段である。
【００２６】
上記構成によって、特定のジャム処理画像をユーザが指示した場合、当該指示信号がジャム処理画像記憶手段２に入力される。この結果、図７に示すように、当該特定のジャム処理静止画像に対応する拡大画像が読み出され、画像メモリ３上に展開されて画像表示手段４に拡大表示されることとなる。（Ｓ８→Ｓ９）なお、拡大画像には複写機の拡大画像８と、操作の詳細な説明事項８ａと、一連のジャム処理画面へ戻るための戻るボタン８ｂとがある。
【００２７】
このようにすれば、特定のジャム処理を一つの画面に拡大表示できるので、当該ジャム処理において注意してほしい内容の詳細な説明がしやすい。
【００２８】
一方、判定処理Ｓ８で特定のジャム処理画像を指示していない場合は判定処理Ｓ４へ移行する。（Ｓ８→Ｓ４）
また、上記画像メモリ３は実行状態にある上記一連のジャム処理画像を記憶しており、拡大表示の画面からユーザが戻るボタンを指示することによって拡大表示を解除し、元の一連のジャム処理画面へ戻れる構成となっている。（Ｓ９→Ｓ１０→Ｓ１１）なお、拡大表示画面で一定時間経過すると一連の処理手順の画面に自動的に戻る構成としてもよい。
【００２９】
なお、上記実施の形態で説明した構成は、単に具体例を示すものであり、本願発明の技術的範囲を制限するものではない。本願の効果を奏する範囲において、任意の構成を採用することが可能である。
【産業上の利用可能性】
【００３０】
本発明は複写機等の画像形成装置における、ジャムが発生したときのジャム処理において、一連のジャム処理手順の全てを処理の進行状況と共に表示するので、どこまで処理が終了したのか、また行った処理が正しかったのかどうかを把握し易くなり有用である。
【図面の簡単な説明】
【００３１】
【図１】本発明の実施の形態を示す機能ブロック図である。
【図２】本発明の実施の形態を示すフロー図である。
【図３】ジャム処理画像記憶手段の構成を示す図である。
【図４】ジャム処理画像記憶手段の構成を示す図である。
【図５】一連のジャム処理を表示した状態と処理済みのジャム処理を表示した状態を示す図である。
【図６】処理の終了を表す判定条件の構成を示す図である。
【図７】選択した特定のジャム処理の拡大画像を示す図である。
【符号の説明】
【００３２】
１      ジャム検出センサー
２      ジャム処理画像記憶手段
４      画像表示手段
５      操作部位検出センサー
６      操作判定手段
７      画像指示手段
【図１】
2005157144.tif 000003
【図２】
2005157144.tif 000004
【図３】
2005157144.tif 000005
【図４】
2005157144.tif 000006
【図５】
2005157144.tif 000007
【図６】
2005157144.tif 000008
【図７】
2005157144.tif 000009